(57)【要約】      （修正有）【課題】背が高い被切断部材（植物）を刈り取る際に使用する、切断した被切断部材を所望の一側方に傾倒させる刈払機を提供する。【解決手段】走行車輪５と、原動機１と、その原動機１によって回転する刈払刃２と、を備えた刈払機であって、刈払刃２の上方位置に、刈払刃２よりも先に被切断部材に当接すると共に平面視Ｖ字状に配設される一対の当接部30を設けている。【選択図】図１
2011050360.tif 000002
【特許請求の範囲】
【請求項１】
走行車輪（５）と、原動機（１）と、該原動機（１）によって回転する刈払刃（２）と、を備えた刈払機に於て、
上記刈払刃（２）の上方位置に、該刈払刃（２）よりも先に被切断部材（Ｋ）に当接すると共に平面視Ｖ字状に配設される一対の当接部（30）（30）を設けたことを特徴とする刈払機。
【請求項２】
上記一対の当接部（30）（30）を、車輪接地面（Ｇ）から５００ｍｍ以上１２００ｍｍ以下の高さ寸法（Ｈ）に設けた請求項１記載の刈払機。
【請求項３】
一本の円管部材を平面視Ｖ字状に折曲形成したガイド部材（３）の両側縁部をもって、上記一対の当接部（30）（30）とした請求項１又は２記載の刈払機。
【発明の詳細な説明】
【技術分野】
【０００１】
本発明は、刈払機に関する。
【背景技術】
【０００２】
従来、刈払機は、エンジンと、エンジンによって回転する回転刃と、走行用の車輪と、作業者が操作する操作ハンドルと、を備え、操作ハンドルを手で押しながら操作して草や小さな木といった植物を切断するものがある（例えば、特許文献１参照）。
【先行技術文献】
【特許文献】
【０００３】
【特許文献１】特開２００３−２８９７１０号公報
【発明の概要】
【発明が解決しようとする課題】
【０００４】
しかし、トウモロコシやサトウキビ、ケナフといった、背が高い被切断部材（植物）を切断すると、切断後の長い茎や幹が四方八方に折り重なるように傾倒してしまい、集積や回収する際に多大な労力と時間がかかってしまうという問題があった。また、刈払作業中に使用者に倒れたり作業の邪魔となるという問題もあった。
【０００５】
そこで、本発明は、切断した被切断部材を所望の一側方に傾倒させる刈払機の提供を目的とする。
【課題を解決するための手段】
【０００６】
上記目的を達成するために、本発明の刈払機は、走行車輪と、原動機と、該原動機によって回転する刈払刃と、を備えた刈払機に於て、上記刈払刃の上方位置に、該刈払刃よりも先に被切断部材に当接すると共に平面視Ｖ字状に配設される一対の当接部を設けたものである。
また、上記一対の当接部を、車輪接地面から５００ｍｍ以上１２００ｍｍ以下の高さ寸法に設けたものである。
また、一本の円管部材を平面視Ｖ字状に折曲形成したガイド部材の両側縁部をもって、上記一対の当接部としたものである。
【発明の効果】
【０００７】
本発明の刈払機によれば、切断した被切断部材を作業者の右手側又は左手側といった所望の一側方に傾倒させることができる。つまり、切断後の被切断部材が一側方に集められ容易に回収できる。或いは、迅速かつ容易に、より大きな塊に集積させることができる。少ない人数で効率良く作業できる。また、作業者側に傾倒してくるのを防止でき安全かつ容易に刈払作業できる。
【図面の簡単な説明】
【０００８】
【図１】本発明の実施の一形態の側面図である。
【図２】要部正面図である。
【図３】要部平面図である。
【図４】作用説明図である。
【図５】図３のＡ−Ａ断面図である。
【図６】図３のＢ−Ｂ断面図である。
【発明を実施するための形態】
【０００９】
以下、図示の実施の形態に基づき本発明を詳説する。
本発明の刈払機は、図１乃至図３に示すように、エンジン等の原動機１と、原動機１を保持するパイプフレーム状の基台部材４と、基台部材４下端に水平軸心廻りに回転自在に枢着された走行車輪５と、基台部材４に連結され作業者が操作する操作杆６と、原動機１によって鉛直状回転軸心Ｌ２廻りに回転する刈払刃２と、原動機１から前方下傾状に突設されて原動機１からの回転力を刈払刃２に伝達する伝達軸70が挿通された筒状の保持杆７と、を備えている。使用者が操作杆６のハンドル部６ａを握って前進しながら刈払作業を行なう手押式の刈払機である。
【００１０】
そして、刈払刃２の上方位置に、刈払刃２よりも先に切断すべき被切断部材Ｋに当接する一対の当接部30，30を設けている。当接部30は、車輪接地面Ｇから５００ｍｍ以上１２００ｍｍ以下の高さ寸法Ｈに設けられている。なお、高さ寸法Ｈを８００ｍｍ以上１１００以下とするのが望ましい。
【００１１】
一対の当接部30，30は、平面視Ｖ字状に配設されている。具体的には、１本の金属製の円管部材（パイプ）を、平面視で回転軸心Ｌ２を通過すると共に進行方向Ｙと一致する一直線Ｌａを対称軸として、左右対称のＶ字状に折曲形成（成形）したガイド部材３を設け、そのガイド部材３の左右の両側縁部（両側壁部）を、一対の当接部30，30としている。
【００１２】
また、当接部30，30の相互の開き角度θは、４５°以上７５°以下に設定されている。
また、当接部30は、中間部に屈曲部30ａを有し、この屈曲部30ａから後方側に向かうにつれて左右外方側へ折曲げ形成されている。この屈曲角度αを０°以上２５°以下に設定している。より好ましくは屈曲角度αを１０°以上２０°以下とする。
【００１３】
また、一対の当接部30，30は、刈払刃２の前方半円部よりも先に、被切断部材Ｋに当接するように刈払刃２の刃先２ａよりもラジアル外方側に配設されている。即ち、刈払刃２の刃先２ａが、平面視で、当接部30，30よりも前方及び左右外方に突出しないように配設されている。また、一対の当接部30，30の左右最大幅寸法（ガイド部材３の幅寸法）Ｗを刈払刃２の直径寸法Ｄを越える寸法に設定している。
【００１４】
また、一対の当接部30，30は、平面視逆三角形状の樹脂製の補強連結部材31に取着されている。
図３と図５及び図６に示すように、補強連結部材31は、平面視逆三角状の平板部31Ａと、ガイド部材３を把持すると共に平面視逆ハの字状又はＶ字状に配設される横断面Ｃ字状の保持部31Ｂと、平板部31Ａの後方辺に膨設され他の部材と連結するための連結部31Ｃと、を有している。
【００１５】
保持部31Ｂは、左右内方からガイド部材３を保持し、ガイド部材３の側縁部（当接部30）を露出させるように形成されている。言い換えると、保持部31Ｂはガイド部材３の側縁部より外方へ突出しないように形成している。被切断部材Ｋが補強連結部材31に接触せず、前進に伴ってスムーズに摺接するように形成している。また、当接部30は、保持部31Ｂから露出したガイド部材３の横断面円弧状の側方壁部（図６に二点鎖線で囲んだ範囲）とも言える。
【００１６】
また、図１と図３及び図５に示すように、連結部31Ｃは、保持杆７に一方端が連結部材72を介して取着された支持部材９の他方端が差し込まれる差込口部31ａを有している。また、基台部材４に帯板部材42を介して一方端が取着された左右一対の接続部材８，８の他方端が夫々差し込まれて取着される左右一対の接続口部31ｂ，31ｂを有している。
【００１７】
つまり、補強連結部材31は、２本の接続部材８，８と１本の支持部材９によって、基台部材４や保持杆７に連結され、刈払刃２の上方位置に当接部30（ガイド部材３）を水平状に保持している。
【００１８】
なお、本発明に於て、「前」とは、作業者がハンドル部６ａを握って前進する進行方向Ｙ側を言う。また、作業者が進行方向Ｙに向いて前進する際に右手のある側を「右手側」と呼ぶ。また、「被切断部材Ｋ」とは、トウモロコシやサトウキビ又はケナフ等の背が高い植物を言う。「背が高い植物」とは、車輪接地面Ｇ（地面）からの５００ｍｍ以上の高さに成長した植物のことを言う。また、刈払刃２は、説明を容易するために簡略化して図示したが、実際は外周縁部を鋸刃状に形成したものであり、例えばチップソーである。
【００１９】
また、保持杆７の先端側かつ刈払刃２の後方位置に、小さな切断片が後方（作業者側）に飛び散らないようにする飛散防止部材71を付設している。また、走行車輪５は、１つの略樽型の主車輪５ａと、主車輪５ａの両側に配設される左右一対の補助車輪５ｂ，５ｂと、を有している。補助車輪５ｂ，５ｂは基台部材４の下端に着脱自在に設けられている。
【００２０】
また、刈払刃２の下端には、刈払刃２を接地面Ｇから所定切断高さ位置で水平状に保持するための略椀型の接地部材21を設けている。接地部材21は刈払刃２に対して空転自在である。
【００２１】
また、原動機１のクラッチケース10の近傍に、保持杆７をクラッチケース10により強く固着するための、上下一対の補強かつ防振用の板状の挟持部材41，41を設けている。一対の挟持部材41，41は、一方端が帯板部材42を介して基台部材４に取着され、他方端がゴム又は樹脂製の防振部材47を介して保持杆７を挟持している。
【００２２】
本発明は設計変更可能であって、接続部材８，８の一方端は、保持杆７に連結補助部材を介して取着しても良い。接続部材８，８及び支持部材９を、基台部材４や保持杆７から着脱自在とし、当接部30を着脱自在に設けても良い。
【００２３】
また、図示省略するが、接続部材８，８及び支持部材９の両方或いは一方を二重筒構造等で伸縮自在に設け、接続部材８，８及び支持部材９の一方端側を水平軸心廻りに揺動自在に基台部材４や保持杆７に取着し、接続部材８，８及び支持部材９の他方端側を水平軸心廻りに揺動自在に補強連結部材31に取着して、当接部30の高さ寸法Ｈを調節自在に構成するも好ましい。高さ寸法Ｈを調節自在に構成した際は、当接部30を水平状（刈払刃２と平行状）とした位置で固定可能なロックボルト等の位置決め固定手段を設けるのが好ましい。
【００２４】
上述した本発明の刈払機の使用方法（作用）について説明する。
作業者が原動機１を始動させると、刈払刃２が回転する。作業者は操作ハンドル部６ａを持って前進する。
図３に示すように、平面視で、一直線Ｌａを被切断部材Ｋの部材列Ｓの左右のどちらかに配置して前進させる。なお、図２及び図３は、切断すべき部材列Ｓが作業者の右手側となるようにして前進した場合を図示している。
【００２５】
前進を開始すると、左右一対の当接部30，30の内の一方側（作業者の右手側）の当接部30に、刈払刃２よりも先に被切断部材Ｋの中間部乃至上部が接触する。
図２及び図３に示すように、前進に伴って、被切断部材Ｋは一側方（矢印Ｘ方向）に傾く。被切断部材Ｋによる進行方向Ｙを遮断するような傾きや使用者側への傾きが発生せず、視界を良好にすると共に刈払作業中の前進を容易にする。
【００２６】
さらに前進することで、当接部30によって、被切断部材Ｋは矢印Ｘに示す一側方に、押され、曲げ力Ｍが付与され、確実に矢印Ｘに示した右側方へ切断にて倒れてゆく。被切断部材Ｋに、一側方へ倒す力（曲げ力Ｍ）を付与しつつ切断するので、切断時に切断口を開口させ、切断摩擦抵抗を軽減すると共に被切断部材Ｋが刈払刃２側に引込まれたり巻付くのを防止して、切断を容易にする。
【００２７】
被切断部材Ｋは所定の切断高さで切断され、接地面Ｇに所定切断高さの残部ｋが残る。切断された被切断部材Ｋは、一方の当接部30によって、矢印Ｘにて示す右側方のみ倒れて整然と並んでゆく。
【００２８】
図４に於て、被切断部材Ｋが複数の部材列Ｓ１，Ｓ２，Ｓ３として植えられた農地等で刈払作業を行なう場合を具体的に説明する。
先ず、第１部材列Ｓ１が、作業者の右手側となるように刈払機を直線状に前進させる。右手側の当接部30が、切断後の被切断部材Ｋを右手側に傾倒させる。
次に、隣りの第２部材列Ｓ２を切断するためにＵターンし、第２部材列Ｓ２が、作業者の左手側となるようにして刈払機を直線状に前進させる。左手側の当接部30が、切断後の被切断部材Ｋを左手側に傾倒させる。
そして、第２部材列Ｓ２を終えるとＵターンし、第３部材列Ｓ３が、作業者の右手側となるようにして刈払機を前進させる。右手側の当接部30が、切断後の被切断部材Ｋを右手側に傾倒させる。なお、図４は、刈払作業が終了した状態を図示している。
【００２９】
つまり、左右一対の当接部30，30の内の一方を、被切断部材Ｋに当接させることで、作業者の右手側又は左手側といった所望の一側方に切断後の被切断部材Ｋの傾倒を可能としている。また、刈払刃２を左右方向に振るようなスイング操作を行わずとも（刈払機を直進させるだけで）、所望の一側方に切断後の被切断部材Ｋが傾倒する。
【００３０】
そして、上述のように往路と復路で刈払作業を行なうと、複数の部材列Ｓ１，Ｓ２，Ｓ３を基準として見たときに、一定方向（矢印Ｅ方向）に、切断後の被切断部材Ｋが傾倒される。部材列Ｓの一定方向側に、切断後の被切断部材Ｋが傾倒した切断片列を形成する。刈払作業に伴って、切断後の被切断部材Ｋは同一方向（矢印Ｅ方向）へ整然と並ぶ。刈払作業後の回収作業、或いは、より大きな塊への集積作業を容易にする。刈払、集積、回収といった作業全体の効率を向上させる。
【００３１】
ここで、当接部30の高さ寸法Ｈが５００ｍｍ未満であったとすると、被切断部材Ｋがトウモロコシ等の根元近傍がしなりにくい植物の場合に、当接部30にそって一側方に倒れず接触抵抗が増加して、作業者が強い力で操作杆６を押さなければ前進が困難となってしまう。また、１２００ｍｍを越えると、刈払機全体の重心位置が高くなって不安定となってしまう。特に、高さ寸法Ｈを８００ｍｍ以上１１００ｍｍ以下とすると、安定姿勢で最も効率的に刈払作業が可能となる。
【００３２】
また、開き角度θが上述した上限値を越えると、被切断部材Ｋを当接部30に滑らせるように摺接させることができず、接触抵抗が増加して前進することが困難となってしまう。また、下限値未満であると、被切断部材Ｋが十分に一側方へ傾かず、切断後の被切断部材Ｋを一側方に傾倒させることが困難となる。
【００３３】
また、屈曲角度αが上述した上限値を越えると、被切断部材Ｋが当接部30に沿うように傾倒せず接触抵抗が増加して、使用者が強い力で操作杆６を押さなければ前進が困難となってしまう。また、下限値未満であると、十分に被切断部材Ｋを傾倒させることや、切断が容易となる張りを付与させることが困難となる。
【００３４】
以上のように、本発明の刈払機は、走行車輪５と、原動機１と、原動機１によって回転する刈払刃２と、を備えた刈払機に於て、刈払刃２の上方位置に、刈払刃２よりも先に被切断部材Ｋに当接すると共に平面視Ｖ字状に配設される一対の当接部30，30を設けたので、刈払機をスイング操作することなく直進させるだけで、被切断部材Ｋを切断して所望の一側方に傾倒させることができる。また、被切断部材Ｋを複数の部材列Ｓ１，Ｓ２，Ｓ３に対して一定方向に整然と刈り倒すことができる。これによって、切断後の被切断部材Ｋを迅速かつ容易に回収でき、又は、より大きな塊に集積させることができる。また、作業者（操作者）側に傾倒してくるのを防止でき安全に刈払作業できる。被切断部材Ｋを右手側又は左手側といった作業者の所望の一側方向に傾倒させつつ部材列Ｓに沿って往復しながら刈払作業を円滑に行うことができる。さらに、切断の瞬間に（図２の矢印のように）曲げ力Ｍを与えつつ行うので、切断が軽く容易となる利点もある。
【００３５】
また、一対の当接部30，30を車輪接地面Ｇから５００ｍｍ以上１２００ｍｍ以下の高さ寸法Ｈに設けたので、確実に被切断部材Ｋを一側方へ倒してゆくことができる。被切断部材Ｋがトウモロコシ等のしなりにくい植物の場合であっても、当接部30に沿うように倒せ、使用者が強い力で操作杆６を押さなくとも容易に前進できる。また、刈払機全体の重心位置が適切な位置となって安定して走行させることができる。使用者の視界の妨げとなる被切断部材Ｋを確実に所望の一側方に傾倒させ、前方の視界を良好できる。
【００３６】
また、一本の円管部材を平面視Ｖ字状に折曲形成したガイド部材３の両側縁部をもって、一対の当接部30，30としたので、当接部30，30を容易にＶ字状に配設できると共に軽量で剛性も十分となる。当接部30を横断面円弧状とし、被切断部材Ｋとの接触面積を少なくして摩擦抵抗を軽減し、前進に伴ってスムーズに摺接させることができる。
【符号の説明】
【００３７】
１  原動機
２  刈払刃
３  ガイド部材
５  走行車輪
30  当接部
Ｇ  車輪接地面
Ｈ  高さ寸法
Ｋ  被切断部材
【図１】
2011050360.tif 000003
【図２】
2011050360.tif 000004
【図３】
2011050360.tif 000005
【図４】
2011050360.tif 000006
【図５】
2011050360.tif 000007
【図６】
2011050360.tif 000008